(57)【特許請求の範囲】
【請求項１】
微細な画素を構成する３色のドットを空間的に配置して構成する表示装置において、
電気的に制御できない不良ドットが存在することによる視覚的な妨害を低減するため、該電気的に制御できない不良ドットに隣接するドットに印加する信号を制御する手段を有し、
上記信号を制御する手段は、電気的に制御できない不良ドットおよび上記不良ドットの色と異なる色の隣接するドットによる本来の色彩値と、電気的に制御できない不良ドットおよび上記不良ドットの色と異なる色の隣接するドットによる実際の色彩値との差を最小にするものであることを特徴とする表示装置。
【請求項２】
電気的に制御できない不良ドットに隣接するｎ個（但しｎは１以上の整数）のドットの輝度の和が、前記電気的に制御できない不良ドットの本来の輝度に略等しくなるように、前記電気的に制御できない不良ドットに隣接するｎ個のドットに印加する信号を制御することを特徴とする請求項１記載の表示装置。
【請求項３】
複数の画素を備え、各画素では少なくとも３色のドットによって表示動作が行われる表示装置において、
電気的に制御できない不良ドットが存在することによる表示不良を補償するため、該不良ドット近傍の一又は複数のドットに印加する信号を制御する制御手段を備え、
上記制御手段は、電気的に制御できない不良ドットおよび上記不良ドットの色と異なる色の近傍の一又は複数のドットによる本来の色彩値と、電気的に制御できない不良ドットおよび上記不良ドットの色と異なる色の近傍の一又は複数のドットによる実際の色彩値との差を最小にするものであることを特徴とする表示装置。
【請求項４】
前記不良ドット近傍のｎ個（但しｎは１以上の整数）のドットの輝度の和が、前記不良ドットおよび前記ｎ個のドットの入力信号に基づく本来の輝度の和に略等しくなるように、前記ｎ個のドットに印加する信号を制御することを特徴とする請求項３記載の表示装置。
【請求項５】
前記不良ドット近傍のｎ個（但しｎは１以上の整数）のドットが発色することによって得られる色彩値と、前記不良ドットおよび前記ｎ個のドットの入力信号に基づく本来の色彩値との差が最小となるように、前記ｎ個のドットに印加する信号を制御することを特徴とする請求項１〜４のいずれか１項に記載の表示装置。
【請求項６】
前記ｎ個のドットが発色することによって得られる色彩値と、前記不良ドットおよび前記ｎ個のドットの入力信号に基づく本来の色彩値との差につき、ＣＩＥ（１９７６）Ｌ＊ａ＊ｂ＊色差が最小となるように、前記ｎ個のドットに印加する信号を制御することを特徴とする請求項５記載の表示装置。
【請求項７】
前記不良ドット近傍のｎ個（但しｎは１以上の整数）のドットが発色することによって得られる実際色彩値、および、前記不良ドットを含む画素の本来の色彩値と該画素近傍の一又は二以上の画素の本来の色彩値との平均の平均色彩値とを求め、
上記実際色彩値と平均色彩値との差が最小となるように、前記ｎ個のドットに印加する信号を制御することを特徴とする請求項１〜４のいずれか１項に記載の表示装置。
【請求項８】
前記色彩値は、ＣＩＥ（１９７６）Ｌ＊ａ＊ｂ＊色彩値で表される色彩値であることを特徴とする請求項７記載の表示装置。
【請求項９】
前記不良ドット近傍のドットとして、該不良ドットに隣接する二つのドットに印加する信号を制御することを特徴とする請求項１〜８のいずれか１項に記載の表示装置。
【請求項１０】
前記不良ドットによる表示不良を補償するため、入力信号に基づき、該不良ドット近傍のドットに印加すべき信号値を演算して出力する演算回路と、
演算回路からの第１信号と、該演算回路を経由しない第２信号とが入力され、該第１信号と該第２信号との間で出力を切り換えるスイッチ回路と、
前記不良ドットの表示画面上の位置を表示するタイミングで、切換信号を前記スイッチ回路に付与するアドレス検出回路とを備え、
前記スイッチ回路は、前記切換信号の入力タイミングで前記第１信号を出力する一方、前記切換信号の入力タイミング以外では前記第２信号を出力することを特徴とする請求項１〜９のいずれか１項に記載の表示装置。
【請求項１１】
前記第２信号は、遅延回路を介して前記スイッチ回路に入力されることを特徴とする請求項１０記載の表示装置。
【請求項１２】
前記不良ドットを含む画素の本来の色彩値と該画素近傍の一又は二以上の画素の本来の色彩値との平均色彩値を算出する第１回路と、
前記ｎ個のドットが発色することによって得られる実際色彩値、および、前記第１回路により得られた平均色彩値の差が最小となるように、前記ｎ個のドットに印加すべき信号値を算出し出力する第２回路とを備えることを特徴とする請求項７または８記載の表示装置。
【請求項１３】
前記第１回路は、前記不良ドットを含む画素および該画素近傍の一又は二以上の画素における各色信号の平均値を求め、これら平均値に基づき前記平均色彩値を算出することを特徴とする請求項１２記載の表示装置。
【発明の詳細な説明】
【０００１】
【発明の属する技術分野】
本発明は、電気的に制御できないドット（以下不良ドットという）を見えにくくする機能を備えた液晶表示装置（以下ＬＣＤという）や、プラズマディスプレイ装置（以下ＰＤＰという）等、画素構造を有する表示装置に関する。
【０００２】
【従来の技術】
ＬＣＤやＰＤＰ等の微細な画素を構成する３色のドットを空間的に配置して構成する表示装置では、その製法上、数百万個に１個の割合で不良ドットが存在する。このようなドットは光の強度を自由に制御できないため、当該ドットが関連する画素では色を自由に発色することができない。従って、数百万画素に一つといった極めて少ない割合でこのような不良が存在したとしても、画質上大きな問題になる。このため、表示装置は出荷選別を厳重にせざるを得ず、このことが全体のコストを押し上げ、また、普及促進を妨げる等の問題につながっている。
【０００３】
図７は不良の生じた表示装置を模擬的に示した説明図である。図７において、２０１は赤、２０２は青、２０３は緑それぞれのドット、２０４はブラックマトリックス部であり、色配列がいわゆる縦ストライプ配列の場合を示す。図７において、ハッチングのかかった部分は、光っている部分を表しており、図７はこのように、一面が青になっている場合の表示装置の表面を大きく拡大した場合に相当する。つまり、青のドット２０２のみが一面に光っている場合を仮定して以下の説明を行う。
【０００４】
図７において、２０５の青のドットは不良で、このドットは黒点になっている場合を想定する。この場合、一面青に光らせるべきであるにもかかわらず、このドットは光らせることができない。従って、この部分に色の不連続を生じ、視覚上の画質劣化を生ずる。
【０００５】
このような不良ドットに対しては、製造技術自体を向上するのが根本対策である。例えば、製造装置の精密度、クリーン度などを向上する方法である。
【０００６】
あるいは、製造後の検査で発見した不良ドットに対して、回路パターン等の修正を施す方法もある。製造後の対策が可能な不良ドットにあっては、不良ドットの状況に応じてレーザ装置等で回路の焼断又は焼結等を行って、不良ドットを見えにくくする方法等の対策がとられている。
【０００７】
従来は、上記のように主として２つのアプローチ、つまり製造技術そのものの改善と、製造後の対策をおこなうことで不良率を低減して全体のコストダウンを図るようにしていた。
【０００８】
【発明が解決しようとする課題】
しかし、従来の対策方法では対策に大きなコストがかかるという問題があった。例えばクリーン度の高い設備を導入するには、極めて大きな導入コストがかかり、そのクリーン度維持にも大きなコストがかかる。
【０００９】
また、レーザ装置等で回路の焼断又は焼結を行って、不良ドットを見えにくくする方法等の対策についても、次に述べる問題がある。
【００１０】
まず、対策の結果を自由に選べないと言う問題である。つまり、レーザ装置で行う対策は回路を焼断するか又は焼結するかという２つの自由度しかないため、前記不良ドットを永久に解放するか又は導通するかしか選択できない。従って、完全に光る状態（輝点不良）又は、完全に光らない状態（黒点不良）のいずれかの状態にしか対策できない。このような対策で良品化できる不良というのは、もともとごく限られた不良であり、この技術だけでは、全体の不良率を大きく低減するには及ばない。
【００１１】
次に、対策のスループットが極めて低いという問題がある。これは、不良の内容を解析し、どこの回路をどのように焼断又は焼結すればよいか判断し、それを実行に移すまで、長い時間がかかるということである。このため、前記対策を行ったとしても、効率的に不良低減ができるとはいえない。
【００１２】
前記２点の問題点から、前記レーザ装置による対策を行ったとしても、全体の不良率を際だって低減するには遠く及ばないと言う問題がある。
【００１３】
結局、製造技術の向上、あるいはレーザ装置等による対策、いずれにしても、相応のコストがかかり、このことによって全体のコストを押し上げられる等の問題があった。
【００１４】
本発明は、上記問題点に鑑みなされたものであり、その目的は、電気的に制御できない不良ドットが存在することによる表示不良を望ましい方法で抑制でき、しかも、不良補正に対するコストダウンを実現する表示装置を提供することにある。
【００１５】
【課題を解決するための手段】
本発明の表示装置は、上記課題を解決するために、微細な画素を構成する３色のドットを空間的に配置して構成する表示装置において、電気的に制御できないドットが存在することによる視覚的な妨害を低減するため、該電気的に制御できないドットに隣接するドットに印加する信号を制御する手段を有することを特徴としている。
【００１６】
上記の発明によれば、表示装置において、電気的に制御できない不良ドットが発生した場合でも、該不良ドットに隣接するドットに印加する信号を制御することで、例えば不良ドットの本来の明るさと略等しい状態を当該ドット近傍に作り出すことが可能になり、これによって、不良ドットによる視覚的な妨害（表示不良）を抑制できる。また、本発明によれば、従来のレーザ装置による対策の場合に生じていた上記各問題点が生ずることもない。
【００１７】
なお、ここで「隣接」するとは、水平方向、垂直方向、斜め方向、いずれの隣接も含む意である。
【００１８】
本発明は、例えば液晶表示装置に好適に採用できるが、これに限らず、プラズマディスプレイ装置やエレクトロルミネセンス表示装置など他の表示装置にも同様に適用できる。また、本発明は、一枚の表示パネルによってカラー表示を行う表示装置に限らず、各色に対応した複数のパネルを備え、これらパネルからの光を合成してカラー表示を行う投射型表示装置（例えば、液晶プロジェクタ）などに対しても、同様に適用できる。
【００１９】
本発明の上記表示装置において、電気的に制御できないドットに隣接するｎ個（但しｎは１以上の整数）のドットの輝度の和が、前記電気的に制御できないドットの本来の輝度に略等しくなるように、前記電気的に制御できないドットに隣接するｎ個のドットに印加する信号を制御することは、好ましい。これによって、不良ドットの本来の明るさと略等しい状態を当該ドット近傍に作り出すことができ、不良ドットによる視覚的な妨害（表示不良）を抑制できる。
【００２０】
なお、この場合は、ｎ個のドットが元々全く光っていないと想定した場合に、ｎ個のドットの輝度の和が、前記電気的に制御できないドットの本来の輝度に略等しくなるように、前記電気的に制御できないドットに隣接するｎ個のドットに印加する信号を制御する。
【００２１】
また、本発明の表示装置は、上記課題を解決するために、複数の画素を備え、各画素では少なくとも３色のドットによって表示動作が行われる表示装置において、電気的に制御できない不良ドットが存在することによる表示不良を補償するため、該不良ドット近傍の一又は複数のドットに印加する信号を制御する制御手段を備えることを特徴としている。
【００２２】
上記の発明によれば、表示装置において、電気的に制御できない不良ドットが発生した場合でも、該不良ドット近傍の一又は複数のドットに印加する信号を制御することで、例えば不良ドットの本来の明るさと略等しい状態を当該ドット近傍に作り出すことが可能になり、これによって、不良ドットによる視覚的な妨害（表示不良）を抑制できる。また、本発明によれば、従来のレーザ装置による対策の場合に生じていた上記各問題点が生ずることもない。
【００２３】
本発明の上記表示装置において、前記不良ドット近傍のｎ個（但しｎは１以上の整数）のドットの輝度の和が、前記不良ドットおよび前記ｎ個のドットの入力信号に基づく本来の輝度の和に略等しくなるように、前記ｎ個のドットに印加する信号を制御することは、好ましい。これによって、不良ドットの本来の明るさと略等しい状態を当該ドット近傍に作り出すことができ、不良ドットによる視覚的な妨害（表示不良）を抑制できる。
【００２４】
また、本発明の表示装置において、前記不良ドット近傍のｎ個（但しｎは１以上の整数）のドットが発色することによって得られる色彩と、前記不良ドットおよび前記ｎ個のドットの入力信号に基づく本来の色彩との差がより小さくなるように（好ましくは、その差が最小になるように）、前記ｎ個のドットに印加する信号が制御されることは、好ましい。これによって、不良ドットの本来の色彩と略等しい状態を当該ドット近傍に作り出すことが可能になり、不良ドットによる表示不良を抑制できる。また、この場合、前記ｎ個のドットが発色することによって得られる色彩と、前記不良ドットおよび前記ｎ個のドットの入力信号に基づく本来の色彩との差につき、ＣＩＥ（１９７６）Ｌ＊ａ＊ｂ＊色差がより小さくなるように、前記ｎ個のドットに印加する信号を制御することは、好ましい。
【００２５】
また、本発明の表示装置において、前記不良ドット近傍のｎ個（但しｎは１以上の整数）のドットが発色することによって得られる色彩が、前記不良ドットを含む画素の本来の色彩と該画素近傍の一又は二以上の画素の本来の色彩との平均の色彩により近い値となるように（好ましくは、該平均の色彩と実質的に同じになるように）、前記ｎ個のドットに印加する信号が制御されることは、好ましい。これによって、不良ドットを含む画素の本来の色彩と該画素近傍の一又は二以上の画素の本来の色彩との平均の色彩に略等しい状態を当該ドット近傍に作り出すことが可能になり、不良ドットによる表示不良を抑制できる。また、この場合、前記色彩が、ＣＩＥ（１９７６）Ｌ＊ａ＊ｂ＊色彩値で表される色彩であることは好ましい。
【００２６】
また、本発明の表示装置において、前記不良ドット近傍のドットとして、該不良ドットに隣接する二つのドットに印加する信号を制御する構成とすることは好ましく、これによって、該二つのドットの制御という比較的簡易な制御により、表示不良を抑制できる。なお、ここで「隣接する二つのドット」とは、水平方向、垂直方向、斜め方向のいずれかにおいて隣接する二つのドットをいう。
【００２７】
また、本発明の表示装置において、前記不良ドットによる表示不良を補償するため、入力信号に基づき、該不良ドット近傍のドットに印加すべき信号値を演算して出力する演算回路と、演算回路からの第１信号と、該演算回路を経由しない第２信号とが入力され、該第１信号と該第２信号との間で出力を切り換えるスイッチ回路と、前記不良ドットの表示画面上の位置を表示するタイミングで、切換信号を前記スイッチ回路に付与するアドレス検出回路とを備え、前記スイッチ回路は、前記切換信号の入力タイミングで前記第１信号を出力する一方、前記切換信号の入力タイミング以外では前記第２信号を出力する構成とすることは、好ましい。かかる回路構成によって、不良ドット近傍のドットに印加すべき信号を制御でき、表示不良を抑制できる。
【００２８】
また、前記第２信号は、遅延回路を介して前記スイッチ回路に入力される構成とすることは好ましく、これによって、演算回路での演算による時間遅れを調整することができる。
【００２９】
また、不良ドット近傍のｎ個のドットが発色することによって得られる色彩が、不良ドットを含む画素の本来の色彩と該画素近傍の一又は二以上の画素の本来の色彩との平均の色彩により近い値となるように、ｎ個のドットに印加する信号を制御する場合、前記不良ドットを含む画素の本来の色彩と該画素近傍の一又は二以上の画素の本来の色彩との平均色彩値を算出する第１回路と、前記ｎ個のドットが発色することによって得られる色彩が、前記第１回路により得られた平均色彩値により近い値となるように、前記ｎ個のドットに印加すべき信号値を算出し出力する第２回路とを備える構成とすることは、好ましい。かかる回路構成によって、不良ドット近傍のｎ個のドットに印加すべき信号を制御でき、不良ドットを含む画素の本来の色彩と該画素近傍の一又は二以上の画素の本来の色彩との平均の色彩に略等しい状態を当該ドット近傍に作り出すことが可能になる。
【００３０】
また、上記構成において、前記第１回路は、前記不良ドットを含む画素および該画素近傍の一又は二以上の画素における各色信号の平均値を求め、これら平均値に基づき前記平均色彩値を算出することは、好ましい。これによって、回路構成をより簡単にできる。
【００３１】
【発明の実施の形態】
本発明の実施の形態について以下に説明する。
【００３２】
〔実施の形態１〕
図１を用いて本実施形態を説明する。図１は、図７に対応する図であって、不良ドットの周辺の状況を説明する図である。
【００３３】
図１において、１０１は赤、１０２は青、１０３は緑それぞれのドット、１０４はブラックマトリックス部であり、色配列がいわゆる縦ストライプ配列の場合を示す。図１において、ハッチングのかかった部分は光っている部分を表しており、図１はこのように、一面が青になっている場合の表示装置の表面を大きく拡大してみた場合に相当する。つまり、１０２青のドットのみが一面に光っている場合を仮定して以下の説明を行う。
【００３４】
尚、ここで、ドットとは、ＲＧＢ等の各色を表示する色の最小単位で、画素とは、そのＲＧＢ等のドットを各一つずつ含む画像の最小表示単位であり、一つの画素で色および明るさを表示できる。
【００３５】
図１において、１０５青のドットは不良ドットで、このドットは黒点になっている場合を想定する。この場合、一面青に光らせるべきであるにもかかわらず、このドットは光らせることができない。従って、この部分に色の不連続を生じ、視覚上の画質劣化を生ずる。
【００３６】
本実施形態では、不良である１０５青のドットに隣接するドットである、１０６赤、１０７緑のドットを適切に光らせるようにする。つまり、やむを得ず生じた１０５青の不良ドットが黒点になった場合、該不良ドットに隣接するドットである１０６赤及び１０７緑の光らせ方を制御して、該不良ドット１０６青の本来の明るさと略等しい状態を当該ドット付近に作り出して、視覚的な妨害を低減するように作用する。図１では、ハッチングの入り方で、１０６赤及び１０７緑をわずかに光らせている様子を示している。
【００３７】
図８に、図７のＣＤ断面の明るさについて示す。本来光るべき２０５青のドットの部分は不良のため光らない。一方、図２に、図１のＡＢ断面の明るさを示す。本来光るべき１０５青のドットは不良のため光らないが、隣接する１０６赤及び１０７緑の光らせ方を制御して、該不良ドット１０５青の本来の明るさに等しくなるようにする。本例図２では、図の縦軸を明るさとし、明るさは単純な足し算が可能であるとして、隣接する１０６赤及び１０７緑の光らせ方は、該不良ドット１０５青の１／２になるようにした場合について例示した。
【００３８】
ところで、図３に、視覚の空間周波数特性を示す。本例は、坂田、磯野“視覚における色度の空間周波数特性”テレビジョン学会誌，Ｖｏ１．３１，Ｎｏ１，ｐｐ．２９−３５（１９７６）に示す例であり、横軸が空間周波数、つまり画像の細かさ、一方縦軸は相対的なレスポンスを示している。また、グラフの３本の曲線のパラメータは、測定した色の条件を示している。
【００３９】
同図によると、視覚の明暗のレスポンスは、赤−緑、黄−青のレスポンスに比較して、帯域が約３倍から５倍広いことが分かる。
【００４０】
視覚の空間周波数レスポンスの測定例は、上記坂田ら以外にも多数存在するが、いずれも概ね、明暗のレスポンスが色のレスポンスに比較して数倍程度帯域が広いこととしている。つまり、視覚の特性は、一般に、細かな色の変化は、細かな明るさの変化に対して認識されにくいようになっているといえる。
【００４１】
図４に、図３で述べた視覚の空間周波数特性と、図２に示した本実施形態の方法の関係を示す。図４は、ｎドット（但しｎは１以上の整数）に１個のドットで、どの程度の空間周波数まで表現できるかを示した図である。例えば、図８の不良ドット２０５周辺では、６ドットに１ドットしか光らないため、空間周波数としては１／６〔ドット分の１〕の空間周波数の細かさまでしか表現できない。これに対し、図２の１０６赤及び１０７緑の周辺では、２ドットに１ドットが光るため、１／２〔ドット分の１〕の空間周波数の細かさまで表現できる。図４では、それぞれハッチングを入れてこの領域を示した。
【００４２】
また、図３の視覚の空間周波数特性の例を同時にプロットした。イは、赤−緑、黄−青の曲線を合わせて一つの曲線としたもの、ロは、明暗の特性に係る曲線である。横軸の単位が〔ドット分の１〕と〔サイクル／度〕で異なるために、相対的な比較としている。
【００４３】
図４から分かるように、図８の不良ドット周辺で表現できる空間周波数の細かさは概ね視覚の色の空間周波数特性に一致し、一方図２の１０６赤及び１０７緑の周辺で表現できる空間周波数の細かさは、視覚の明暗の空間周波数特性に一致する。
【００４４】
このように、図８の不良ドット周辺で光るドットのみで表現できる空間周波数の細かさは、概ね視覚の色の空間周波数特性に一致し、一方視覚の明暗の空間周波数特性には大きく劣る。このことを換言すると、不良ドットがあっても色味の細かさは視覚的には表現できる一方、不良ドットによる明暗の表現については充分に表現できず、表現能力の不足が認識できるといえる。つまり、不良ドットによる画質劣化は、主として明暗の問題が認識される結果生ずるものであるといえる。
【００４５】
また、図２の１０６赤及び１０７緑の周辺で表現できる空間周波数の細かさは、視覚の明暗の空間周波数特性に一致し、一方視覚の色の空間周波数特性を大きく越えている。このことを換言すると、１０６赤及び１０７緑の周辺で表現できる空間周波数の細かさは、殆ど明るさのみ認識されその色味は認識されにくいといえる。
【００４６】
そこで、本実施形態では、以上の視覚の特性に基づき、不良ドットを見えにくくする。例えば、前記のように不良ドットによる画質劣化は、主として明暗の問題が認識される結果生ずるものであるから、殆ど明るさのみ認識されその色味が認識されにくい条件で不良ドット周辺を表示すれば、不良ドットは目立たなくすることが可能である。図１の例では、１０５青の不良ドットに対し、１０６赤及び１０７緑を光らせてこれを実現している。
【００４７】
次に、本実施形態における回路構成について説明する。
【００４８】
図５は、本実施形態の回路構成を示すブロック図である。同図において、７０１はアドレス検出回路、７０２は演算回路（制御手段）、７０３はスイッチ回路、７０４は表示パネル、７０５は遅延回路である。
【００４９】
表示パネル７０４には、図示するアドレス（ｘ，ｙ）の位置に不良ドットがあるものとする。
【００５０】
アドレス検出回路７０１は、同期信号をもとに、現時点の表示位置を割り出し、不良ドットの位置（ｘ，ｙ）を表示するタイミングでフラグ信号（切換信号）をスイッチ回路７０３に加える。このような回路は、具体的には、簡単なカウンタで回路を実現できる。
【００５１】
尚、アドレス検出回路７０１にこのような動作を行わせしめるため、別途不良ドット位置を検出し、丁度該不良ドットのアドレスになった時にフラグ信号を出力するように、カウンタにプリセットしておく。不良ドットのアドレス検出については、ここでは詳細にはふれないが、簡単には全点灯試験して不良ドットを特定し、そのアドレスをセットするようにすればよい。
【００５２】
スイッチ回路７０３には、遅延回路７０５を通った入力信号（第２信号）と、演算回路７０２の出力（第１信号）とが入力されていて、フラグ信号のタイミングで演算回路７０２の出力が、またそれ以外では遅延回路７０５を通過した入力信号がそのまま、それぞれ出力される。
【００５３】
演算回路７０２は、本実施形態においては、隣接する１０６赤及び１０７緑の光らせ方につき、不良ドット１０５青の１／２になるように、不良ドットの信号に予め定める値を乗じたものを、周辺ドットの信号として供給する。この場合、適当な掛け算回路を用いれば、容易に実現できる。
【００５４】
また、遅延回路７０５は、演算回路７０２での演算時間遅れを調整するために、入力信号と同期信号に対して、適当な時間遅延を作用させる。演算回路７０２の時間遅れが無視しうるほど小さければ、必要としない場合もあり得る。その場合には、全体は図６の構成になる。
【００５５】
本発明は、例えば液晶表示装置に好適に採用できるが、これに限らず、画素構造を有し、データ信号がデジタルで処理されるような表示装置であれば、プラズマディスプレイ装置（ＰＤＰ）やエレクトロルミネセンス表示装置（ＥＬ）など他の表示装置にも同様に適用できる。また、本発明は、一枚の表示パネルによってカラー表示を行う表示装置に限らず、各色に対応した複数のパネルを備え、これらパネルからの光を合成してカラー表示を行う投射型表示装置（例えば、液晶プロジェクタ）などに対しても、同様に適用できる。
【００５６】
また、本実施形態は、表示パネルがＲＧＢ縦ストライプ配列のものであったが、本発明はこれに限られるものではなく、デルタ配列、モザイク配列など他の配列の表示パネルに対しても、同様に適用できる。
【００５７】
また、本実施形態は、不良ドットに隣接する二つのドットに印加する信号を制御するものであったが、本発明はこれに限定されるものではない。隣接しない不良ドット近傍の二ドットに対する印加信号を制御することとしてもよい。また、二ドットでなく、不良ドット近傍の一ドットに対する印加信号を制御することとしてもよいし、三ドット以上のドットに対する印加信号を制御することとしてもよい。
【００５８】
〔実施の形態２〕
図２で説明した内容についてさらに詳述する。図２の例では図の縦軸を明るさとし、明るさは単純な足し算が可能であるとして、隣接する１０６赤及び１０７緑の光らせ方は、該不良ドット１０５青の１／２になるようにした。この光らせ方について、本実施形態では以下のようにする。
【００５９】
前記のように、不良ドット周辺では殆ど明るさのみ認識されるから、周辺ドットの光らせ方を調整して、該不良ドットが本来光る明るさに近づくようにすることが目的である。
【００６０】
明るさは、輝度単位で記述すると、
Ｙ＝０．３Ｒ＋０．５９Ｇ＋０．１１Ｂ
で表現できる。ここに、Ｒ、Ｇ及びＢは、各原色赤、緑及び青の信号値であり、γは１とした。また、Ｒ、Ｇ、及びＢの各原色色度、及び白色基準色度は、ＮＴＳＣテレビジョン標準に従うものとした。
【００６１】
ここでγとは、表示装置への入力信号と該表示装置の出力である表示特性の関係を指数関数で表した場合の指数部の値で、対象となる表示装置又は表示信号によって異なる値となる。
【００６２】
原色色度や白色基準色度がテレビジョン標準と異なる場合には、０．３、０．５９等の係数が異なってくるが、この係数値は、色彩理論に基づく計算を行えば容易に求めることができる。ここでは詳細は述べない。
【００６３】
上式より、例えば、１０５青の不良ドットを１０６赤や１０７緑のドットを光らせて同じ明るさになるようにするためには、
０．１１Ｂ＝０．３Ｒ＋０．５９Ｇ
を満たすように、Ｒ及びＧを決定すればよいことがわかる。
【００６４】
図２で例示したように、赤や緑のドットを青のドットの１／２で光らせるとすると、
０．１１Ｂ＜（０．３＋０．５９）×０．５Ｂ
＝０．４４５Ｂ
となり、不良ドットの明るさに等しくなるように周辺を光らせたことにはならない。これを解消するのが本実施形態の目的である。以下特に、不良ドット周辺の２つのドットがもともと全く光っていない場合を想定し、これらに相等しい信号値を印加するものとして説明する。
【００６５】
例えば青のドットが不良ドットであり、且つ他の２つのドットが元々全く光っていない場合には、下式を満足するようにＫ値を選ぶ。
【００６６】
０．１１Ｂ＝（０．３＋０．５９）×ＫＢ
この式は、青が不良であって他の赤と緑は光っていないという仮定から、この付近の明るさは左辺の０．１１Ｂのみで決定されるとし、且つ周辺の赤と緑に相等しい信号値を印加するという仮定から、
Ｒ＝Ｇ＝ＫＢ
とおいて、赤及び緑のドットに青のドットの何倍の信号値を印加すればよいかを求める式である。これを解くと、
Ｋ＝０．１２３６
となり、隣接する赤と緑のドットに、青の信号値の０．１２３６倍の信号値を加えて光らせばよいことが分かる。
【００６７】
同様に、赤のドットが不良であるとすると、
０．３Ｒ＝（０．１１＋０．５９）×ＫＲ
とおくと、
Ｋ＝０．４２８６
となり、隣接する緑と青のドットに、赤の信号値の０．４２８６倍の信号値を印加して光らせばよいことが分かる。
【００６８】
さらに、緑のドットが不良であるとすると、
０．５９Ｇ＝（０．１１＋０．３）×ＫＧ
とおくと、
Ｋ＝１．４３９
となり、隣接する赤と青のドットに、緑の信号値の１．４３９倍の信号値を印加して光らせばよいことが分かる。
【００６９】
尚、ここではγ＝１として説明したが、実際の表示におけるγ（γ＞１である場合が多い）を考慮すると、前記説明で求めた係数Ｋ値も変更される。
【００７０】
例えばγ＝２とすると、
Ｙ＝（０．３Ｒ２  ＋０．５９Ｇ２  ＋０．１１Ｂ２  ）０．５  
と書けるから、青のドットが不良である場合には、
０．１１Ｂ２  ＝（０．３＋０．５９）×（ＫＢ）２  
と書け、
Ｋ＝０．３５１６
である。つまり、隣接する赤と緑のドットに青の信号値の０．３５１６倍の信号値を加えて光らせば不良は目立ちにくくなることが分かる。赤や緑のドットが不良である場合も同様である。
【００７１】
また、前記説明では割愛したが、原色色度や白色基準色度がテレビジョン標準と異なる場合には、０．３、０．５９等の係数が異なるために、前記説明で求めた係数Ｋ値も変更される。求め方は同様であり、０．３、０．５９等の係数さえ色彩理論に基づいて求めれば、何ら問題なく定めることができる。
【００７２】
さらに不良の内容に応じて、Ｋ値を自由に設定して、目視上もっとも不良が目立ちにくくなるように設定することも可能である。
【００７３】
また、本実施形態では、不良ドットに隣接する２ドットに相等しい信号値を印加する構成としたが、隣接する２ドットに相異なる信号値を印加する構成としてもよい。
【００７４】
本実施形態における回路構成は、図５及び図６に基づき説明した前記実施の形態１の構成と同様の構成で実現できる。この場合、演算回路７０２は、不良ドットの信号に上述したＫ値を乗じたものを、該不良ドットに隣接する２ドットの信号として供給することになる。
【００７５】
〔実施の形態３〕
本発明の他の実施形態について図９に基づいて説明すれば、以下の通りである。尚、説明の便宜上、上記実施形態において説明した部材と同一の部材については、同一の符号を付記し、その説明を省略する。
【００７６】
本実施形態では、輝度の差だけでなく、不良ドット近傍のｎ個のドットが発色することによって得られる色彩と、不良ドットおよびｎ個のドットの入力信号に基づく本来の色彩との差がより小さくなるように（好ましくは、その差が最小になるように）、ｎ個のドットに印加する信号を制御する。
【００７７】
図９に示すように、本実施形態の回路構成は、上記実施形態１・２と同様であるが、演算回路７１２が、前記ｎ個のドットに印加する信号値を算出するため、以下に説明する演算を行う点で、上記演算回路７０２と異なっている。
【００７８】
また、本実施形態では、前記ｎ個のドットとして、不良ドットに隣接する二つのドットに印加する信号を制御することとし、色彩の差につき、ＣＩＥ（１９７６）Ｌ＊ａ＊ｂ＊色差を用い、色彩値につき、ＣＩＥ（１９７６）Ｌ＊ａ＊ｂ＊色彩値を用いることとする。
【００７９】
ＣＩＥ（１９７６）Ｌ＊ａ＊ｂ＊色彩値は、特開平９−３２９４９５号公報等にも説明されており、既によく知られた値であるが、次のように定義される。
【００８０】
すなわち、不良ドットおよび該不良ドットに隣接する二つのドットの入力信号をＲｉ  、Ｇｉ  、Ｂｉ  とし、三刺激値Ｘｉ  、Ｙｉ  、Ｚｉ  を，８ｂｉｔ  （２５６階調）の条件の下で、
【００８１】
【数１】
0003565327.tif 000002
【００８２】
とすると、前記ＣＩＥ（１９７６）Ｌ＊ａ＊ｂ＊色彩値につき、Ｌ＊、ａ＊、ｂ＊は、それぞれ、
【００８３】
【数２】
0003565327.tif 000003
【００８４】
となる。
【００８５】
また、ＣＩＥ（１９７６）Ｌ＊ａ＊ｂ＊色差値であるΔＥ＊は、
【００８６】
【数３】
0003565327.tif 000004
【００８７】
である。
【００８８】
なお、ここでは、赤のドットＲが不良になっている場合を例に、入力信号（Ｒ１  、Ｇ１  、Ｂ１  ）に対し、出力信号（Ｒ２  、Ｇ２  、Ｂ２  ）のＧ２  、Ｂ２  を制御して、色差を最小にする条件について説明する。また、ここでは、上記実施形態において説明した方法で、不良ドットに隣接する二つのドットが元々全く光っていないと想定した場合に、該二つのドットの輝度の和が、不良ドットの入力信号に基づく本来の輝度に略等しくなるようにした上で、つまりΔＬ＊＝０の条件の下で色差を最小化する方法について説明する。
【００８９】
すると、ΔＥ＊は、
【００９０】
【数４】
0003565327.tif 000005
【００９１】
ここで、ΔＬ＊＝０なので、Ｙ１  ＝Ｙ２  より、
【００９２】
【数５】
0003565327.tif 000006
【００９３】
また、上記式（１）と、Ｒ欠陥よりＲ２  ＝０なので、
【００９４】
【数６】
0003565327.tif 000007
【００９５】
また、ΔＬ＊＝０⇔Ｌ１  ＊＝Ｌ２  ＊⇔Ｙ１  ＝Ｙ２  、Ｒ２  ＝０より、
【００９６】
【数７】
0003565327.tif 000008
【００９７】
よって、
【００９８】
【数８】
0003565327.tif 000009
【００９９】
となるから、入力信号（Ｒ１  、Ｇ１  、Ｂ１  ）に対して、上式の右辺の値がより小さくなるように、好ましくは右辺の値が最小になるように、演算により緑ドットへの印加信号Ｇ２  の値を定めれば、色差を最小にできる。
【０１００】
また、青ドットへの印加信号Ｂ２  の値は、次のようにして求めることができる。
【０１０１】
上記式（３）より、
【０１０２】
【数９】
0003565327.tif 000010
【０１０３】
上述のようにして求めたＧ２  、Ｂ２  を、不良ドットに隣接する二つのドットに印加する信号とする。また、上記の演算は、上述のように演算回路７１２によって行われる。具体的なハードウエアとしては、ＣＰＵやＤＳＰ等を用いればよい。これによって、不良ドットである赤のドットＲの本来の色彩（色味）と略等しい状態を当該ドット近傍に作り出すことが可能になり、不良ドットによる表示不良を抑制できる。
【０１０４】
なお、上記の例では、不良ドットが赤の場合であったが、青や緑のドットが不良ドットの場合も、上記と同様にして、入力信号に基づき、不良ドットに隣接する二つのドットに印加する信号を演算により求めることとすればよい。
【０１０５】
また、本実施形態では、ＣＩＥ（１９７６）Ｌ＊ａ＊ｂ＊色彩値に基づいて演算を行ったが、本発明はこれに限定されるものではなく、例えば、ＣＩＥ（１９７６）Ｌ＊ｕ＊ｖ＊色彩値やＣＩＥＬａｂ９７ｓ色彩値などに基づき演算を行ってもよく、人間が感ずる色彩を示す色彩値であれば、基本的にどのようなものでもよい。
【０１０６】
また、本実施形態では、色彩の差だけでなく、輝度の差についても、隣接する２ドットの輝度の和が、不良ドットおよび隣接する２ドットの入力信号に基づく本来の輝度の和に略等しくなるように、隣接する２ドットに印加する信号を制御するものであったが、色彩の差についてのみ考慮し、この差がより小さくなるように近傍ドット印加信号を制御するものであってもよい。
【０１０７】
また、本実施形態は、演算回路７１２での演算による時間遅れを調整するために、遅延回路７０５を備えた回路構成であったが、時間遅れが無視しうるほど小さければ、図６に示されるような遅延回路が省略された構成であってもよい。
【０１０８】
〔実施の形態４〕
本発明の他の実施形態について図１０〜図１３に基づいて説明すれば、以下の通りである。尚、説明の便宜上、上記実施形態において説明した部材と同一の部材については、同一の符号を付記し、その説明を省略する。
【０１０９】
本実施形態では、輝度の差だけでなく、不良ドット近傍のｎ個のドットが発色することによって得られる色彩が、不良ドットを含む画素の本来の色彩と該画素近傍の一又は二以上の画素の本来の色彩との平均の色彩により近い値となるように、ｎ個のドットに印加する信号を制御する。
【０１１０】
また、図１０に示すように、本実施形態では、前記ｎ個のドットとして、不良ドット８０１に隣接する二つのドット８０２・８０３に印加する信号を制御することとし、平均の色彩としては、不良ドット８０１を含む画素Ｔの本来の色彩と該画素Ｔに隣接する二つの画素Ｓ・Ｕの本来の色彩との平均の色彩とする。また、色彩については、前記ＣＩＥ（１９７６）Ｌ＊ａ＊ｂ＊色彩値を用いることとする。
【０１１１】
また、本実施形態の回路構成は、上述の実施形態１〜３と同様であるが、演算回路８０４が図１１に示すように構成されている点で、上記演算回路７０２・７１２と異なっている。
【０１１２】
図１１を参照して、本実施形態の演算回路８０４は、遅延回路８０５、色彩計算部８０６、平均回路８０７、および信号合成回路（第２回路）８０８を備えて構成されている。なお、この場合は、色彩計算部８０６および平均回路８０７が、第１回路に相当する。
【０１１３】
遅延回路８０５は、入力信号データを一画素分遅延させる回路であり、これにより、各色彩計算部８０６は、隣接画素Ｓ・Ｔ・Ｕの計算を同時並行して行うことができる。なお、ここでは、入力信号データは、隣接画素Ｓ・Ｔ・Ｕに対し、Ｕ・Ｔ・Ｓのデータ順に入力されるものとする。
【０１１４】
色彩計算部８０６は、画素Ｓ・Ｔ・Ｕの各々のＣＩＥ（１９７６）Ｌ＊ａ＊ｂ＊色彩値を計算する回路である。これにより、それぞれの画素のＣＩＥ（１９７６）Ｌ＊ａ＊ｂ＊色彩値が得られる。
【０１１５】
得られた値は、Ｌ＊、ａ＊、ｂ＊それぞれの値ごとに平均回路８０７に入力され、平均回路８０７では、３画素分平均されたＬ＊（平均）、ａ＊（平均）、ｂ＊（平均）がそれぞれ得られる。
【０１１６】
これらの値は、続いて、信号合成回路８０８に入力される。なお、ここでは、青のドットが不良である場合を想定して、出力信号として、赤と緑を取り出す場合について説明するが、他の色のドットが不良の場合でも同様である。
【０１１７】
信号合成回路８０８では、次の演算が行われる。すなわち、青のドットが不良である場合には、青の出力を０として、得られたＬ＊（平均）、ａ＊（平均）、ｂ＊（平均）に最も近い色彩値が得られる赤、緑を出力値とする。
【０１１８】
以下では、青（Ｂ）のドットが不良である場合を例に、演算回路８０４における上記演算について、より詳細に説明する。
【０１１９】
画素Ｓ・Ｔ・Ｕの各画素の本来の信号値を、それぞれ、（ＲＳ１、ＧＳ１、ＢＳ１）、（ＲＴ１、ＧＴ１、ＢＴ１）、（ＲＵ１、ＧＵ１、ＢＵ１）とし、実際にＳ・Ｔ・Ｕ各画素に印加する信号値を、それぞれ、（ＲＳ２、ＧＳ２、ＢＳ２）、（ＲＴ２、ＧＴ２、ＢＴ２）、（ＲＵ２、ＧＵ２、ＢＵ２）とする。
【０１２０】
また、Ｓ・Ｔ・Ｕ各画素の本来の色彩値を、それぞれ、（Ｌ＊Ｓ１、ａ＊Ｓ１、ｂ＊Ｓ１）、（Ｌ＊Ｔ１、ａ＊Ｔ１、ｂ＊Ｔ１）、（Ｌ＊Ｕ１、ａ＊Ｕ１、ｂ＊Ｕ１）とし、Ｓ・Ｔ・Ｕ各画素の実際の色彩値を、それぞれ、（Ｌ＊Ｓ２、ａ＊Ｓ２、ｂ＊Ｓ２）、（Ｌ＊Ｔ２、ａ＊Ｔ２、ｂ＊Ｔ２）、（Ｌ＊Ｕ２、ａ＊Ｕ２、ｂ＊Ｕ２）とする。
【０１２１】
そうすると、まず、色彩計算部８０６では、上記式（１）、（２）に基づいて、Ｓ・Ｔ・Ｕ各画素の本来の色彩値である（Ｌ＊Ｓ１、ａ＊Ｓ１、ｂ＊Ｓ１）、（Ｌ＊Ｔ１、ａ＊Ｔ１、ｂ＊Ｔ１）、（Ｌ＊Ｕ１、ａ＊Ｕ１、ｂ＊Ｕ１）を計算する。
【０１２２】
次に、平均回路８０７では、Ｓ・Ｔ・Ｕ３画素平均の本来の色彩値（Ｌ＊ａｖｇ１、ａ＊ａｖｇ１、ｂ＊ａｖｇ１）を次式に基づいて計算する。
【０１２３】
Ｌ＊ａｖｇ１＝（Ｌ＊Ｓ１＋Ｌ＊Ｔ１＋Ｌ＊Ｕ１）／３
ａ＊ａｖｇ１＝（ａ＊Ｓ１＋ａ＊Ｔ１＋ａ＊Ｕ１）／３
ｂ＊ａｖｇ１＝（ｂ＊Ｓ１＋ｂ＊Ｔ１＋ｂ＊Ｕ１）／３
そして、信号合成回路８０８では、ドット８０２・８０３（図１０参照）への出力信号、すなわち、ＧＴ２、ＲＵ２を、以下のようにして求める。
【０１２４】
Ｓ・Ｔ・Ｕ３画素平均の実際の色彩値（Ｌ＊ａｖｇ２、ａ＊ａｖｇ２、ｂ＊ａｖｇ２）を、それぞれ、
Ｌ＊ａｖｇ２＝（Ｌ＊Ｓ２＋Ｌ＊Ｔ２＋Ｌ＊Ｕ２）／３
ａ＊ａｖｇ２＝（ａ＊Ｓ２＋ａ＊Ｔ２＋ａ＊Ｕ２）／３
ｂ＊ａｖｇ２＝（ｂ＊Ｓ２＋ｂ＊Ｔ２＋ｂ＊Ｕ２）／３
とする。
【０１２５】
ここで、平均の輝度を補正前後（制御前後）で等しくするため、
Ｌ＊ａｖｇ１＝Ｌ＊ａｖｇ２          …  （４）
また、ここでは、青（Ｂ）ドット欠陥であり、かつ、制御調整するのはドット８０２・８０３への出力信号だけなので、出力信号値のうち変数は、ＧＴ２、ＲＵ２の二つだけである。よって、上記式（４）より、ＲＵ２はＧＴ２の関数として表すことができる。
【０１２６】
そして、出力の平均の色彩値が本来の平均の色彩値に最も近くなるような、つまり、｜ａ＊ａｖｇ２−ａ＊ａｖｇ１｜、｜ｂ＊ａｖｇ２−ｂ＊ａｖｇ１｜が最も小さくなるような、ＧＴ２の値を求める。
【０１２７】
ＧＴ２の値が求められたら、上記式（４）より、ＲＵ２を求めることができる。
【０１２８】
このようにして得られた緑、赤の出力値ＧＴ２、ＲＵ２を、不良ドット８０１に隣接する二つのドット８０２・８０３に印加することによって、不良ドット８０１がある場合でも、該不良ドット８０１を含む画素Ｔまたはその画素Ｔ近傍で本来の色彩にマッチした色彩を表示することが可能になり、不良ドット８０１が非常に目立ちにくくなる。
【０１２９】
なお、遅延回路８０５は、色彩計算部８０６や平均回路８０７に設けられてもよい。
【０１３０】
また、本実施形態の演算回路８０４を、図１２に示すように簡単化した演算回路９０１としてもよい。この演算回路９０１は、平均回路９０２、色彩計算部９０３、および信号合成回路（第２回路）９０４を備えて構成されており（この場合は、平均回路９０２および色彩計算部９０３が、第１回路に相当する）、遅延回路は、平均回路９０２に設けられている。
【０１３１】
上記色彩計算部９０３には、３画素分平均されたＲＧＢが入力され、これに基づき算出されたＬ＊（平均）、ａ＊（平均）、ｂ＊（平均）が、色彩計算部９０３から出力される。この点で、色彩計算部９０３は、画素Ｓ・Ｔ・Ｕの各々のＣＩＥ（１９７６）Ｌ＊ａ＊ｂ＊色彩値を計算する上記色彩計算部８０６とは異なっている。
【０１３２】
演算回路９０１では、入力されたＲＧＢ信号がまず平均回路９０２に入力され、平均回路９０２では、３画素分平均されたＲＧＢが得られる。その後、３画素分平均されたＲＧＢが色彩計算部９０３に入力され、色彩計算部９０３では、Ｌ＊（平均）、ａ＊（平均）、ｂ＊（平均）がそれぞれ算出される。これらの値が、続いて、信号合成回路９０４に入力されること以降は、上記と同様である。
【０１３３】
なお、本実施形態では、近傍画素として隣接画素を取り上げたが、必ずしも近傍画素は隣接画素である必要はない。例えば、一画素離れていてもかまわない。また、水平方向の隣接画素に限らず、斜め方向や上下方向の近傍画素であってもよい。
【０１３４】
もちろん、ＣＩＥ（１９７６）Ｌ＊ａ＊ｂ＊色彩値以外の色彩値を用いて計算を行ってもよい。
【０１３５】
また、本実施形態は、不良ドット８０１に隣接する二つのドット８０２・８０３に印加する信号を制御するものであったが、本発明はこれに限定されるものではない。不良ドットに隣接しない該不良ドット近傍の二ドットに対する印加信号を制御することとしてもよい。また、二ドットでなく、不良ドット近傍の一ドットに対する印加信号を制御することとしてもよいし、三ドット以上のドットに対する印加信号を制御することとしてもよい。
【０１３６】
以下では、１ドットを制御する場合および４ドットを制御する場合の例について説明する。
【０１３７】
▲１▼    １ドットを制御する場合の例
図１３を参照して、この例では、画素ＴのＲドット９０８が欠陥ドットの場合に、画素ＴのＧドット９０９のみを制御して、輝度差ΔＬ＊を最小にし補正する例について説明する。
【０１３８】
ここで、画素ＳのＢドット９０７，および画素ＴのＲ・Ｇドット９０８・９０９への本来の入力をそれぞれＢ１  、Ｒ１  、Ｇ１  とし、各ドットへの出力をそれぞれＢ２  、Ｒ２  、Ｇ２  とする。
【０１３９】
すると、（Ｒ、Ｇ、Ｂ）→（Ｘ、Ｙ、Ｚ）の変換式である上記式（１）、（Ｌ＊、ａ＊、ｂ＊）の計算式である上記式（２）、および、Ｙ１  ＝Ｙ２  、Ｒ２  ＝０、Ｂ２  ＝Ｂ１  より、
【０１４０】
【数１０】
0003565327.tif 000011
【０１４１】
として、Ｇドット９０９への出力Ｇ２  を求めることができる。
【０１４２】
▲２▼    ４ドットを制御する場合の例
再び図１３を参照して、この例では、画素ＴのＲドット９０８が欠陥ドットの場合に、画素ＳのＧ・Ｂドット９０６・９０７、および画素ＴのＧ・Ｂドット９０９・９１０の４ドットを制御して、輝度差ΔＬ＊を最小にし補正する例について説明する。
【０１４３】
ここで、画素ＳのＲＧＢドット，および画素ＴのＲＧＢドットへの本来の入力をそれぞれ（ＲＳ１、ＧＳ１、ＢＳ１）（ＲＴ１、ＧＴ１、ＢＴ１）とし、各ドットへの出力をそれぞれ（ＲＳ２、ＧＳ２、ＢＳ２）（ＲＴ２、ＧＴ２、ＢＴ２）とすると、上記式（１）と同様に、
【０１４４】
【数１１】
0003565327.tif 000012
【０１４５】
と定義でき、ＹＳｉ、ＹＴｉ、ＺＳｉ、ＺＴｉについても同様に定義できる。
【０１４６】
また、上記式（２）より、
【０１４７】
【数１２】
0003565327.tif 000013
【０１４８】
と定義でき、Ｌ＊Ｔｉ、ａ＊Ｓｉ、ａ＊Ｔｉ、ｂ＊Ｓｉ、ｂ＊Ｔｉについても同様に定義できる。
【０１４９】
そして、Ｓ・Ｔ２画素平均の本来の色彩値（Ｌ＊ａｖｇ１、ａ＊ａｖｇ１、ｂ＊ａｖｇ１）は、
Ｌ＊ａｖｇ１＝（Ｌ＊Ｓ１＋Ｌ＊Ｔ１）／２
ａ＊ａｖｇ１＝（ａ＊Ｓ１＋ａ＊Ｔ１）／２
ｂ＊ａｖｇ１＝（ｂ＊Ｓ１＋ｂ＊Ｔ１）／２
であり、Ｓ・Ｔ２画素平均の実際の色彩値（Ｌ＊ａｖｇ２、ａ＊ａｖｇ２、ｂ＊ａｖｇ２）を、それぞれ、
Ｌ＊ａｖｇ２＝（Ｌ＊Ｓ２＋Ｌ＊Ｔ２）／２
ａ＊ａｖｇ２＝（ａ＊Ｓ２＋ａ＊Ｔ２）／２
ｂ＊ａｖｇ２＝（ｂ＊Ｓ２＋ｂ＊Ｔ２）／２
である。そこで、演算回路８０４における上記演算と同様に、Ｌ＊ａｖｇ２−Ｌ＊ａｖｇ１＝０を満たし、かつ、｜ａ＊ａｖｇ２−ａ＊ａｖｇ１｜、｜ｂ＊ａｖｇ２−ｂ＊ａｖｇ１｜が最も小さくなるような、ＧＳ２、ＢＳ２、ＧＴ２、ＢＴ２の値を求め、それぞれドット９０６・９０７・９０９・９１０への出力とすればよい。
【０１５０】
このように、制御するドットの数は、一ドットでもよいし、三ドット以上でもよい。
【０１５１】
【発明の効果】
以上のように、本発明を構成するための追加回路はわずかである。本発明では、このようなわずかな回路追加で、従来不良ドットが基準数を越えていたために廃棄されていたパネルを利用可能な状況にできるので、大面積、高密度等、単価が高いパネルであればあるほど、全体としてみたコストダウン効果が大きいという効果を奏する。
【０１５２】
もちろん、レーザ装置を用いた機械的な加工等も不要になる。同対策では、不良の内容を解析し、どこの回路をどのように焼断又は焼結すればよいか判断し、それを実行に移すという手順をとっていたために、対策のスループットが極めて低いという問題があった。
【０１５３】
これに対し本発明の方法では、例えばカウンタに不良ドットのアドレスを設定しさえすればよいので、補正のスループットも大幅に向上できる。
【０１５４】
また、対策の結果も、例えば演算回路の係数Ｋの値さえ変更すれば、自由に選べるようになる。つまり、レーザ装置で行う対策は回路を焼断するか、又は焼結するかという２つの自由度しかないため、当該ドットを永久に解放するか又は導通するかしか選択できない。従って、完全に光る状態（輝点不良）又は、完全に光らない状態（黒点不良）のいずれかの状態にしか対策できなかったが、本発明では例えば係数Ｋの選び方次第でどのような補正でも行うことが可能になる。
【０１５５】
また、不良ドットを含む画素の本来の色彩値に最も近い色彩値を表示するようにしたり、近傍画素の色彩値を考慮して、それらの平均の色彩値に最も近い色彩値を表示するなどとすることにより、補正後に残留する妨害の程度を大幅に低減することが可能になる。
【０１５６】
このことはまた、本発明による補正が幅広い不良に対応でき、従来廃棄されていた不良品を幅広く救済することができ、全体の不良率を大きく低減できる効果があることを意味する。
【０１５７】
前記のように、本発明によれば、製造技術の向上、あるいはレーザ装置等による対策、いずれにしても、相応のコストがかかり、このことによって全体のコストが押し上げられ、その結果普及促進を妨げる等の問題があった従来の対策に比較し、大幅なコストダウンが可能になるという効果がある。
【図面の簡単な説明】
【図１】本発明の実施の一形態に係る表示パネルにおいて、不良ドットの隣接２ドットに対する印加信号の制御について説明する図である。
【図２】図１のＡＢ断面の明るさについて説明する図である。
【図３】視覚の空間周波数特性を示すグラフである。
【図４】図３に示す視覚の空間周波数特性と、図２に示す本実施形態による制御との関係を示す説明図である。
【図５】本実施形態に係る回路構成を示すブロック図である。
【図６】本実施形態に係る他の回路構成を示すブロック図である。
【図７】従来の不良の状況を説明する図である。
【図８】図７のＣＤ断面の明るさについて説明する図である。
【図９】本発明の他の実施形態に係る回路構成を示すブロック図である。
【図１０】本発明のさらに他の実施形態に係る表示パネルにおいて、不良ドットの近傍ドットに対する印加信号の制御について説明する図である。
【図１１】本実施形態に係る回路構成を示すブロック図である。
【図１２】本実施形態に係る他の回路構成を示すブロック図である。
【図１３】不良ドットの近傍ドットに対する印加信号の制御について、他の例を説明する図である。
【符号の説明】
１０１          赤のドット
１０２          青のドット
１０３          緑のドット
１０４          ブラックマトリクス部
１０５          青の不良ドット
１０６          不良ドットに隣接する赤のドット
１０７          不良ドットに隣接する緑のドット
７０１          アドレス検出回路
７０２・７１２・８０４・９０１演算回路（制御手段）
７０３          スイッチ回路
７０４          表示パネル
７０５・８０５  遅延回路
８０６・９０３  色彩計算部（第１回路）
８０７・９０２  平均回路（第１回路）
８０８・９０４  信号合成回路（第２回路）
【図１】
0003565327.tif 000014
【図２】
0003565327.tif 000015
【図３】
0003565327.tif 000016
【図４】
0003565327.tif 000017
【図５】
0003565327.tif 000018
【図６】
0003565327.tif 000019
【図７】
0003565327.tif 000020
【図８】
0003565327.tif 000021
【図９】
0003565327.tif 000022
【図１０】
0003565327.tif 000023
【図１１】
0003565327.tif 000024
【図１２】
0003565327.tif 000025
【図１３】
0003565327.tif 000026